(57)【要約】【課題】無線テレメータシステムのメインとサブとの間に中継機を介在させる場合において、メインと中継機、及びサブと中継機の再縁組作業に要する作業者負担の軽減を図ることができる無線テレメータシステムを抵抗する。【解決手段】無線テレメータシステムは、センタ側制御装置１０２に通信網１１２を介して接続された端末側網制御装置１０３と、端末側網制御装置１０３に有線接続された無線親機１０４と、無線親機１０４と無線通信を行う複数の無線子機１０５〜１０７と、無線子機に各有線接続されたマイコンメータとによって構成されている。無線親機１０４と無線子機１０５〜１０６の間に入れられる中継機１１１に、縁組を行いたいすべての無線子機１０５〜１０６の識別符号と無線親機１０４の識別符号を予め登録する。登録符号を用いた中継機１１１の操作で、中継機１１１を介した無線親機１０４及び無線子機１０５〜１０６間の縁組を行う。【選択図】図１
2008288967.tif 000002
【特許請求の範囲】
【請求項１】
センタ側制御装置に通信網を介して接続された端末側網制御装置と、当該端末側網制御装置に有線接続された無線親機と、当該無線親機と無線通信を行う複数の無線子機と、当該無線子機に各有線接続されたガス、水道などのマイコンメータによって構成された無線テレメータシステムにおいて、前記無線親機と前記無線子機との間に介在される中継機に縁組を行うすべての前記無線子機の識別符号と前記無線親機の識別符号を予め登録し、前記中継機の操作で前記中継機を介した前記無線親機及び前記無線子機間の縁組を行なうことから成る無線テレメータシステム。
【請求項２】
請求項１に記載の無線テレメータシステムにおいて、
前記中継機に、縁組を行う前記無線子機についてその前記識別符号に代えて当該無線子機に特有の端末ＩＤの一部桁を予め登録し、前記中継機における前記縁組を行う前記無線子機に関する前記操作で前記端末ＩＤの当該一部桁を用いることから成る無線テレメータシステム。
【請求項３】
請求項１又は２に記載の無線テレメータシステムにおいて、
前記中継機との縁組に失敗した前記無線子機については、前記中継機に備えられた表示端末で確認可能としたことから成る無線テレメータシステム。
【請求項４】
請求項３に記載の無線テレメータシステムにおいて、
前記中継機との縁組に失敗した前記無線子機の情報を、前記中継機と接続された通信可能な設定器によって確認可能としたことから成る無線テレメータシステム。
【請求項５】
請求項３に記載の無線テレメータシステムにおいて、
前記中継機との縁組に失敗した前記無線子機が少なくとも１台存在することに応じて、前記中継機と前記無線親機との当該縁組を開始しないか、それとも当該縁組が成功した前記無線子機の情報のみをもって前記中継機と前記無線親機との当該縁組を行うかを、前記中継機と前記無線親機との当該縁組実行前に切替えスイッチによって選択可能としたことから成る無線テレメータシステム。
【請求項６】
請求項１又は２に記載の無線テレメータシステムにおいて、
前記中継機と前記無線子機との縁組が成功し且つ前記中継機と前記無線親機との縁組が失敗したことに応じて、前記中継機と前記無線親機のみとの当該縁組を再度行うか、それとも前記中継機と前記無線親機及び前記無線子機との両方の前記縁組を再度行うかを、前記中継機と前記無線親機との当該縁組実行前に切替えスイッチによって選択可能としたことから成る無線テレメータシステム。
【請求項７】
請求項５又は６に記載の無線テレメータシステムにおいて、
前記切替えスイッチの代わりに、前記中継機と通信可能な外部設定器との通信内容により、機能選択可能としたことから成る無線テレメータシステム。
【発明の詳細な説明】
【技術分野】
【０００１】
この発明は、センタ側装置に公衆電話回線等の通信回線網を介して接続された端末側網制御装置（以下、Ｔ−ＮＣＵと略す）と、Ｔ−ＮＣＵに有線接続された無線親機（以下、メインと称す）と、前記メインと無線通信を行う複数の無線子機（以下、サブと称す）と、前記サブに各有線接続されたガス、水道等のマイコンメータ（以下、メータと略す）によって構成された無線テレメータシステムにおいて、中継機を介してメインとサブとの縁組を行う中継機を介した無線テレメータシステムに関する。
【背景技術】
【０００２】
ガス、水道などのメータ用に開発された無線テレメータシステムにおいて、通常１台のメインに対して、複数台のサブが縁組される。そして一度設置した後、通信距離の延長や、メイン−サブ間の通信の妨げとなる障害物の回避といった通信の安定化のため、メインとサブの間に中継機を介在させる場合がある。このとき、お互いの識別符号といった無線通信に必要なデータを遣り取りするため、中継機と縁組を行いたい設置済みサブ（メインと縁組済み）全てとの間で１台毎に縁組を行い、更にその後にメインと中継機との間で縁組を行うという作業が必要である。
【０００３】
この作業を改善するための公知技術としては、中継機に登録されていた縁組しているメイン、サブのデータを、当該中継機の無応答や故障時に別の中継機の記憶手段に記憶することにより、中継機を相手局登録して、センタと端末装置との間で無線中継機を介して容易に双方向の通信となる手法（特許文献１）や、メイン−中継機を縁組後、センタ側からの登録要求に応じて、中継機がセンタから受信したサブの識別符号といった個別情報を含む登録要求の電文を複数のサブに送信し、その電文を受け取ったサブはその電文を解析し、仮に自分あての縁組情報が含まれていれば、センタ側装置に登録完了の電文を送信することで、縁組が完了する手法（特許文献２）がある。
【特許文献１】特開２００６−３０３９４３号公報
【特許文献２】特開２００６−  ４８４５９号公報
【発明の開示】
【発明が解決しようとする課題】
【０００４】
無線テレメータシステムのメインとサブとの間に中継機を入れる場合において、中継機を介したメインとサブとの縁組を当該中継機の操作で行えるようにすることで、メインと中継機、及びサブと中継機の再縁組作業に要する作業者負担の軽減を目的とする。
【課題を解決するための手段】
【０００５】
上記の目的を達成するため、本発明では、無線テレメータシステムにおいて、縁組を行うサブすべての識別符号（または識別符号の一部）とメインの識別符号とを中継機に予め登録し、中継機のみの操作で、メイン−中継機−サブの縁組を完了し、メイン−中継機−サブ間の通信を可能にする機能を有する。中継機の操作としては、当該中継機に備わる入力装置で入力することが挙げられる。
【０００６】
上記の無線テレメータシステムにおいて、中継機−複数サブ間の縁組において、縁組が失敗したサブがあったかどうかを中継機に備えられたＬＥＤなどの表示端末で確認可能となる機能を有することができる。また、上記の無線テレメータシステムにおいて、中継機との縁組が失敗に終わったサブの情報を、中継機と接続された通信可能な設定器などで確認可能な機能を有することができる。
【０００７】
上記の無線テレメータシステムにおいて、中継機の縁組作業入力によるサブとの縁組後、メインとの縁組の際に、中継機と縁組失敗したサブが１台でもあれば中継機とメインとの縁組を開始しないか、それとも縁組が成功したサブの情報のみをもって中継機とメインとの縁組を行うかを、中継機とメインとの縁組実行前に切替えスイッチによって選択可能とすることができる。即ち、中継機と縁組失敗したサブが１台でもあった場合における中継機とメインとの縁組についての対処を、予め定めておくことができる。
【０００８】
上記の無線テレメータシステムにおいて、中継機とサブとの縁組が成功したが、中継機とメインとの縁組が失敗したときのことを考え、中継機とメインのみとの縁組を再度行うかどうかを、縁組実行前に切替えスイッチによって選択可能となる機能を有することができる。
【０００９】
切替えスイッチによって選択可能とした上記の無線テレメータシステムにおいて、切替えスイッチの代わりに中継機と通信可能な外部設定器との通信内容により、機能選択可能となる機能を有することができる。
【発明の効果】
【００１０】
この発明の無線テレメータシステムによれば、中継機の操作のみで、設置済みの無線親機と無線子機との間の縁組が可能となる。
また、上記無線テレメータシステムにおいて、中継機に備えられた表示端末で、中継機−複数サブ間の縁組において縁組が失敗したサブがあったかどうかを判断することができる。
また、縁組が失敗したサブがあったかどうかを判断する上記無線テレメータシステムにおいて、中継機との縁組に失敗したサブの情報を、中継機と接続された通信可能な設定器によって確認することができる。
また、縁組が失敗したサブがあったかどうかを判断する上記無線テレメータシステムにおいて、サブとの縁組がすべて成功しなかった場合、即ち、中継機との縁組に失敗したサブが少なくとも１台存在する場合には、メインとの縁組を継続するか中断するかを切替えスイッチによって選択できるようになる。
また、メインとの縁組を継続するか中断するかを切替えスイッチによって選択する上記無線テレメータシステムにおいて、サブ縁組後に中継機とメインとの縁組において失敗した場合、再び中継機とサブとの縁組から始める必要がなくなり、中継機とメインとの縁組のみ行うことも可能となる。
これらの手段を用いることで、作業者は、中継機の操作のみで、設置済みメイン、サブとの縁組が可能となり、縁組作業の軽減を図ることが可能となる。
【発明を実施するための最良の形態】
【００１１】
図１に示すように無線テレメータシステムは、ホストコンピュータ１０１（以下ホストと称す）と、当該ホストに接続されたセンタ１０２と、当該センタ１０２に電話回線１１２を介して接続されたＴ−ＮＣＵ１０３と、当該Ｔ−ＮＣＵ１０３に接続されたメイン１０４と、メイン１０４と通信を行う複数のサブ１０５、１０６、１０７と、当該サブ１０５、１０６、１０７にそれぞれ接続された電気、ガス、水道メータ１０８、１０９、１１０から構成されている。メイン１０４とサブ１０５、サブ１０６、サブ１０７との間は無線でデータ通信を行うものである。また、メイン−サブ間に中継機１１１を介在させた場合の図も図１の下部（矢印の先）に示している。
【００１２】
図１において、中継機挿入前は、メイン１０４とサブ１０５〜１０７は直接無線で通信を行う場合を示している。中継機挿入後は、サブ１０５とサブ１０６の通信を中継機１１１経由に切り替えた場合を示す。このときサブ１０７は中継機１１１経由に切り替えないとする。また、メイン１０４と中継機１１１との間、及び中継機１１１とサブ１０５、１０６との間では、無線でデータ通信が行われる。
【００１３】
図２は、上段（ａ）がメイン１０４のブロック図であり、下段（ｂ）がサブ１０５、１０６、１０７又は中継機１１１のブロック図である。メイン１０４、サブ１０５、１０６、１０７及び中継機１１１には、識別符号等の登録用メモリとして不揮発性メモリ２０２が内蔵されている。また、ＣＰＵ２０３は時計やタイマ機能を有したものである。
【００１４】
次に、メイン−中継機−サブの縁組について説明する。縁組とは、メイン、サブ、中継機が互いの間での通信に必要な情報を交換し、それぞれの端末間での通信を可能にするための作業である。ここで通信に必要な情報とは、それぞれの識別符号というような端末毎に一意に定められた符号などを指す。通常、縁組作業は、端末に備えられたボタンやスイッチなどを用いてそれぞれの端末を操作して縁組モードにし、その縁組モード下の操作で縁組を行うことが多い。
【００１５】
また、中継機の使用というのは、既に縁組を行った設置済みのメイン−サブ間において、通信が安定しない場合に設置されることが多い。その際、メイン−サブ間の通信経路を中継機経由とするためには、中継機とサブとの間、及び中継機とメインとの間で縁組をし直す必要がある。しかし、メインは通常電柱の上や家の軒下などといった高所に設置されている、或いはサブはメインから遠く離れた場所にあるなどのため、メイン或いはサブと中継機との間で縁組を行う作業は作業者にとっては非常に負担のかかる作業である。そこで、メイン、サブ側の操作を必要とせず、中継機での操作のみでメイン、サブと縁組を行う手法が必要となる。
【００１６】
縁組の一連の流れを図３に示す。図３では、メインとサブ１（１０５），２（１０６），３（１０７）が縁組済みの場合において、サブ１（１０５），２（１０６）のみ中継機１１１経由に切り替えたい場合を想定している。まず、中継機１１１に接続可能な設定器３００などを用いて、中継機１１１と縁組を行いたいメイン１０４と縁組を行いたいサブ１０５，１０６の識別符号を中継機１１１に登録し、中継機１１１はこれらを不揮発性メモリ又はＲＡＭ２０２に記憶しておく（ステップ１、「Ｓ１」と略す。以下同じ）。
【００１７】
そして、中継機１１１に備わっているボタンなどの入力装置を入力操作することで縁組処理を開始する。この縁組処理は、まずサブへの縁組処理からはじめる。縁組を行いたいサブが複数存在することを考慮するため、中継機１１１からサブへの通信には同報通信を用いて一度に行う。この同報通信には、中継機１１１の識別符号、設定器３００などによって登録された縁組を行いたいサブの情報全て（１０５、１０６）の識別符号とメイン１０４の識別符号を含める（Ｓ２）。
【００１８】
同報通信を用いると、この通信を受信したサブは全て起動する。図３の場合であるとサブ１０５〜１０７が起動し、電文を受信する。そして起動したサブ１０５〜１０７はその電文を解析し、電文中に含まれているメインの識別符号が、現在縁組されているメイン１０４の識別符号と一致し、なおかつ電文中に自身の識別符号が含まれている場合のみ、サブは縁組成功を表す電文を中継機に返信し（Ｓ３）、サブ１０５、１０６はメイン１０４の識別符号の代わりに中継機１１１の識別符号を登録し、以後、縁組相手を中継機１１１に切り替える。よってサブ１０５及び１０６のみが中継機１１１に対して返信を行う（Ｓ４）。なお、サブ１０７は電文解析を行うが、受信電文中に自身の識別符号が存在しないため中継機１１１との縁組は行わない。即ち、通信相手はメイン１０４のままである（Ｓ１０）。
【００１９】
こうして中継機１１１は、中継機１１１に登録した（Ｓ５）サブサブ１０５，１０６からの縁組成功電文を一定時間受信した後、今度はメイン１０４との通信を開始する（Ｓ６）。このとき、中継機１１１は、縁組が成功したサブ１０５，１０６すべての符号と中継機１１１自身の識別符号含む電文をメイン１０４へ送信する。
【００２０】
この通信電文を受信したメイン１０４は、電文を解析し、電文中に含まれている識別符号のサブへの通信は、中継機１１１経由に切り替えられたと判断し、中継機１１１経由の通信であると登録しなおす（Ｓ７）。メイン１０４は中継機１１１に縁組返信電文を送信し（Ｓ８）、縁組処理を終了する（Ｓ９）。そして、以後、登録されたサブ１０５，１０６らへの通信は、サブ１０５，１０６へ電文を直接送信せずに、まず中継機１１１へと電文を送信し、そして中継機１１１から目的のサブ１０５，１０６へと通信するようになる。
【００２１】
また、各サブの識別符号ではなく、その代わりに端末で任意に設定可能なＩＤを用いても良い。このとき、同じメイン１０４と縁組されているサブ同士では、テレメータシステムの運用上ＩＤの上位数桁が同じで下位数桁のみが異なっている場合が多いので、下位数桁のみ登録とする。この場合、中継機１１１はサブに対して同じく同報通信を用いて、サブのＩＤの一部と中継機の識別符号、メイン１０４の識別符号を含む電文を送信する。そしてそれを受信したサブは受信電文を解析し、電文中に、自分と縁組されているメイン１０４の識別符号が含まれているか、そして電文中に含まれるＩＤの一部の中に自分のＩＤと一致するものがあるかを調べる。以後の処理は、前記のサブの識別符号を用いるものと同じである。
【００２２】
中継機−サブ間の同報通信において、サブの中には、本来中継機１１１からの受信に対して返信電文を返さなければならないにも関わらず、ノイズ等の何らかの理由で返信できないものが存在する（図示せず）、または中継機１１１がサブからの返信電文を受信できない可能性がある。例えばサブ１０５、サブ１０６に対して同報通信にてＳ２の処理を行ったにも関わらず、１０５、１０６のいずれか、もしくは両方からの応答が無い場合である。
【００２３】
よって、中継機１１１に登録されたすべての縁組を行いたいサブから、すべて正常に返信電文を受信できたとき、一部失敗に終わったものがあったとき、或いは全部失敗したときなどといったパターンに分けて中継機１１１に備えられているＬＥＤ２０９などの出力装置に表示させる（Ｓ１１，Ｓ１２）。また、どのサブとの縁組に失敗したかを作業者が把握できるようにするため、失敗に終わったサブの識別符号やＩＤを、特殊な電文を用いてセンタから、或いは中継機と通信可能な設定器３００などで読めるようにしておく（Ｓ１３）。
【００２４】
また、中継機１１１の一定時間のサブからの受信待ち処理終了時、中継機１１１に縁組するよう登録されていたにも関わらず縁組に失敗したサブがあった場合、中継機１１１は、返信のあったサブ（縁組に成功したサブ）の情報のみを持ってメイン１０４と縁組を行いにいくか（Ｓ１５、図３（１））、それともメイン１０４と通信を行わずに縁組処理を終了するか（Ｓ１６、図３（２））を切替えスイッチとしてのＤＩＰＳＷでの選択や、設定器３００から設定電文を送信するなどで作業者が選択できるようにする。
【００２５】
また、中継機１１１−サブ１０５〜１０６縁組後の、中継機１１１−メイン１０４の縁組が失敗に終わる場合がある。このとき、再び中継機１１１−サブ１０５〜１０６の縁組（Ｓ２の処理）から始めるのは時間の無駄となってしまう。よって、これの設定も切替えスイッチとしてのＤＩＰＳＷでの選択や、設定器３００から設定電文を送信するなどで作業者が選択できるようにする。
【図面の簡単な説明】
【００２６】
【図１】本発明の実施形態にかかる無線テレメータシステムのシステム図である。
【図２】本発明の実施形態にかかるメインと中継機とサブのブロック図である。
【図３】本発明にかかるメイン、中継機、サブ間の縁組シーケンス図である。
【符号の説明】
【００２７】
１０１  ホスト
１０２  センタ
１０３  Ｔ−ＮＣＵ
１０４  無線親機（メイン）
１０５〜１０７  無線子機（サブ）
１０８〜１１０  メータ
１１１  中継機
１１２  電話回線
２０１  Ｔ−ＮＣＵと接続のためのＩ／Ｆ
２０２  データ登録用不揮発性メモリ
２０３  ＣＰＵ
２０４  無線通信ユニット
２０５  アンテナ
２０６  ＲＯＭ
２０７  ＲＡＭ
２０８  電池
２０９  通信結果などを表示するための、表示部
２１０  メータなどの接続のためのＩ／Ｆ
３００  設定器
【図１】
2008288967.tif 000003
【図２】
2008288967.tif 000004
【図３】
2008288967.tif 000005